(57)【要約】【課題】低背かつ簡単な構成で、板厚の厚いカード用の第１受容スロットの奥に、板厚の薄いカードが進行するのを確実に防止することができるカード用コネクタを提供する。【解決手段】カード用コネクタ１の第１受容スロット１６のカード案内部１６ａには、板厚の厚いカードＣ１及び板厚の薄いカードＣ２の進行方向を遮断する第１位置と前記進行方向の遮断を解除する第２位置との間を回動するストッパ部材４１が軸支されている。また、カード案内部１６ａには、板厚の厚いカードＣ１とカム係合するカム面４４ｃ、５４ｃ、カム面４４ｃ、５４ｃに隣接して板厚の薄いカードＣ２の進行を許容する空間４４ｄ、５４ｄ、及び第１位置にあるストッパ部材４１の回動を阻止する爪４４ｅ，５４ｅを有するカム部材４４，５４がストッパ部材４１の軸支と直交して回動可能に軸支されている。【選択図】　　　図８
2004103378.tif 000002
【特許請求の範囲】
【請求項１】
板厚の厚いカード用の第１受容スロットと、板厚の薄いカード用の第２受容スロットとを有するカード用コネクタにおいて、
前記第１受容スロットのカード案内部に軸支され、前記板厚の厚いカード及び前記板厚の薄いカードの進行方向を遮断する第１位置と前記進行方向の遮断を解除する第２位置との間を回動するストッパ部材と、該ストッパ部材の軸支と直交して前記カード案内部に回動可能に軸支され、前記板厚の厚いカードとカム係合するカム面、該カム面に隣接して前記板厚の薄いカードの進行を許容する空間、及び前記第１位置にある前記ストッパ部材の回動を阻止する爪を有するカム部材とを具備したことを特徴とするカード用コネクタ。
【請求項２】
前記カム部材が２個並設されたことを特徴とする請求項１記載のカード用コネクタ。
【発明の詳細な説明】
【０００１】
【発明の属する技術分野】
本発明は、スマートカードと呼ばれるＩＳＯ規格のＩＣカード等の板厚の薄いカードと、ＰＣＭＣＩＡ規格のＩＣカード等の板厚の厚いカードとを受容する少なくとも２個のカード受容スロットを有するカード用コネクタに関する。
【０００２】
【従来の技術】
近年、コンピュータ技術の進歩によりパーソナルコンピュータが一般的に急速に広まっている。特に、ノート型パーソナルコンピュータでは、小型で高性能なものが開発され、スマートカードと呼ばれるＩＳＯ規格のＩＣカード（以下、単にスマートカードという）と、ＰＣＭＣＩＡ規格のＩＣカード（以下、単にＩＣカードという）とを受容する２個のカード受容スロットを有するカード用コネクタが設置されたものも開発されている。
【０００３】
ここで、スマートカードは、図９に示すように、カード１００の一主表面に複数の端子部１０１を備え、その寸法は、奥行きが８５．６ｍｍ、幅が５４ｍｍ、板厚が０．６８〜０．８４ｍｍとなっている。
一方、ＩＣカードは、半導体メモリカードとして使用されるタイプＩと、モデムカードとして使用されるタイプＩＩと、ハードディスクカードとして使用されるタイプＩＩＩの３種類がある。このうち、タイプＩのＩＣカードは、図１０に示すように、カード１１０の一端部にコネクタ部１１１を備え、その寸法は、奥行きが８５．６ｍｍ、幅が５４ｍｍ、板厚が３．３ｍｍとなっている。タイプＩＩ及びタイプＩＩＩのＩＣカードは、図示はしないが、それらの奥行き及び幅はタイプＩのＩＣカードと同様に８５．６ｍｍ、５４ｍｍであるが、板厚が異なり、それぞれ５ｍｍ、１０．５ｍｍとなっている。
【０００４】
スマートカード１００の寸法とＩＣカードの寸法とを比較すると、奥行き及び幅については同一であるが、それらの板厚のみが異なり、スマートカード１００は薄く、ＰＣＭＣＩＡ規格のＩＣカードは厚くなっている。
このように、スマートカード１００の板厚は薄く、ＰＣＭＣＩＡ規格のＩＣカードの板厚は厚いため、前述のカード用コネクタにおいて、スマートカードを受容するカード受容スロットの厚み方向の高さは小さく、ＩＣカードを受容するカード受容スロットの厚み方向の高さは大きくなっている。そして、スマートカードは高さの小さなカード受容スロットに挿入され、ＩＣカードは高さの大きなカード受容スロットに挿入される。
【０００５】
このような異なる厚みの２種のカードを受容するカード用コネクタにおいては、厚みの厚いカードは高さの小さなカード用のカード受容スロットに挿入されることはないが、反対に、厚みの薄いカードは高さの大きなカード用のカード受容スロットに挿入されることがある。
厚みの薄いカードが高さの大きなカード用のカード受容スロットに挿入されると、例えば、スマートカード１００がＰＣＭＣＩＡ規格のＩＣカード１１０用のカード受容スロットに挿入されると、ＩＣカード１１０用のカード受容スロットに対応した複数のピンコンタクト、ハウジングの一部等がスマートカード１００の端部によって曲げられたりして破損するおそれがあった。また、スマートカード１００が前記カード受容スロットに挿入されると、ピンコンタクトが破損しなくても、最終ユーザーは前記スマートカード１００が適切なカード受容スロットに挿入されたものと勘違いし、ノート型パソコンの電源を入れた際に正常に作動しないことがあった。
【０００６】
このような、厚みの薄いカードの、高さの大きなカード用のカード受容スロットへの挿入を防止するＩＣカードソケットとして、例えば、図１１に示すものが知られている（特許文献１参照）。
このＩＣカードソケット２００は、ＩＣカード１００に電気的に接続される複数のピンコンタクト２０１と、ピンコンタクト２０１へのＩＣカード１００の挿入を案内する１対のガイドレール２０２とを備えている。そして、一方のガイドレール２０２には、回動軸２０６によって回動可能に支持された上下一組の厚み検出レバー２０３が設けられている。各厚み検出レバー２０３のカード挿入口側端部には、ガイドレール２０２に挿入された挿入物の厚みを検出する挿入物挟込部２０５が配置され、各厚み検出レバー２０３のピンコンタクト側端部には、シャッター部２０４が配置されている。
【０００７】
このＩＣカードソケット２００に、板厚の厚いＩＣカード１１０がガイドレール２０２に沿って挿入されると、図１１（Ａ）に示すように、挿入物挟込部２０５が開きこれに伴って上下一組の厚み検出レバー２０３が回動軸２０６を中心に開く。そして、厚み検出レバー２０３が開くと同時に、シャッター部２０４が開き、ＩＣカード１１０がピンコンタクト２０１に接続される。
【０００８】
一方、板厚の薄いスマートカード１００がガイドレール２０２に沿って挿入される場合、図１１（Ｂ）に示すように、スマートカード１００の板厚はＩＣカード１１０の板厚よりも薄いために、上下一組の厚み検出レバー２０３が開かない。このため、シャッター部２０４は閉じたままとなり、スマートカード１００の挿入はシャッター部２０４により阻止されるのである。
【０００９】
また、不適合ＩＣカートリッジの誤挿入防止手段を有するＩＣカートリッジリーダーとして、例えば、図１２に示すものが知られている（特許文献２参照）。
このＩＣカートリッジリーダー３００は、ＩＣカートリッジ挿入口３０２が開設されたシャーシ３０１を備え、ＩＣカートリッジ挿入口３０２の内側近傍に、シャッタ本体３０４とこのシャッタ本体３０４を開閉可能に支持するばね部材３０５とから成るシャッタ手段３０３を設けている。そして、シャッタ本体３０４には誤挿入防止突起３０６が形成され、ＩＣカートリッジ３１０の端部にはこの誤挿入防止突起３０６と対応する位置に切欠３１１が形成されている。
【００１０】
そして、図１２（Ａ）に示すように、ＩＣカートリッジ挿入口３０２より適合するＩＣカートリッジ３１０を正規の向きに挿入すると、誤挿入防止突起３０６が切欠３１１内に挿通され、ＩＣカートリッジ３１０の先端がシャッタ本体３０４に当接する。シャッタ本体３０４には、斜面３０４ａが形成されているので、その斜面３０４ａによってＩＣカートリッジ３１０の挿入力の下向き分力が発生し、シャッタ本体３０４がばね部材３０５の弾性に抗して下向きに付勢される。これにより、ＩＣカートリッジ３１０の挿入が可能になる。
【００１１】
一方、ＩＣカートリッジ挿入口３０２より不適合のＩＣカートリッジ、例えば切欠３１１を有しないＩＣカートリッジ３１０や切欠３１１の位置が異なるＩＣカートリッジ３１０が挿入されたような場合には、図１２（Ｂ）に示すように、ＩＣカートリッジ３１０の先端が誤挿入防止突起３０６に当接する。誤挿入防止突起３０６は、ＩＣカートリッジ３１０の挿入方向に対して垂直に形成されているため、シャッタ本体３０４に下向き分力が発生せず、シャッタ本体３０４は開放されない。これにより、不適合ＩＣカートリッジ３１０の挿入が阻止されるのである。
【００１２】
【特許文献１】
特開平１１−３９４３５号公報
【特許文献２】
特開平２−３５５８４号公報
【００１３】
【発明が解決しようとする課題】
しかしながら、図１１に示したＩＣカードソケット２００及び図１２に示したＩＣカートリッジリーダー３００にあっては、以下の問題点があった。
即ち、図１１に示したＩＣカードソケット２００の場合、厚みの薄いカードの挿入防止機構として、ガイドレール２０２に、上下一組の厚み検出レバー２０３を設け、各厚み検出レバー２０３のカード挿入口側端部に、ガイドレール２０２に挿入された挿入物の厚みを検出する挿入物挟込部２０５を配置し、ピンコンタクト側端部に、シャッター部２０４を配置している。このような機構は、ＩＣカードを受容するカード受容スロットが一つの場合には有効であるが、板厚の薄いカードと板厚の厚いカードとを受容する少なくとも２個のカード受容スロットが上下に隣接して設けられたカード用コネクタには適用することができない。また、厚みの薄いカードの挿入を防止する機構としては、その構成が複雑であり、ＩＣカードソケット２００の製造コストが高価なものになるばかりでなく、嵩高になってしまうという問題があった。
【００１４】
また、図１２に示したＩＣカートリッジリーダー３００の場合、端部に切欠３１１を形成した特殊なＩＣカートリッジ３１０とする必要があり、汎用カードに適用できないという問題があった。
従って、本発明は上述の問題点に鑑みてなされたものであり、その目的は、板厚の厚いカード用の第１受容スロットと板厚の薄いカード用の第２受容スロットを有するカード用コネクタにおいて、低背かつ簡単な構成で、板厚の厚いカード用の第１受容スロットの奥に、板厚の薄いカードが進行するのを確実に防止することができるカード用コネクタを提供することにある。
【００１５】
【課題を解決するための手段】
上記問題を解決するため、本発明のうち請求項１に係るカード用コネクタは、板厚の厚いカード用の第１受容スロットと、板厚の薄いカード用の第２受容スロットとを有するカード用コネクタにおいて、前記第１受容スロットのカード案内部に軸支され、前記板厚の厚いカード及び前記板厚の薄いカードの進行方向を遮断する第１位置と前記進行方向の遮断を解除する第２位置との間を回動するストッパ部材と、該ストッパ部材の軸支と直交して前記カード案内部に回動可能に軸支され、前記板厚の厚いカードとカム係合するカム面、該カム面に隣接して前記板厚の薄いカードの進行を許容する空間、及び前記第１位置にある前記ストッパ部材の回動を阻止する爪を有するカム部材とを具備したことを特徴としている。
【００１６】
このカード用コネクタによれば、板厚の厚いカードが第１受容スロットに受容される際には、板厚の厚いカードがカム面にカム係合してカム部材が回動し、これにより爪による第１位置にあるストッパ部材の回動阻止が解除される。そして、板厚の厚いカードによりストッパ部材が第２位置に回動して板厚の厚いカードの進行が許容される。
【００１７】
一方、板厚の薄いカードが第１受容スロットに受容される際には、板厚の薄いカードはカム部材の空間を通過して第１位置にあるストッパ部材により進行が阻止される。ストッパ部材は、カム部材の爪により第１位置において回動が阻止されているので、板厚の厚いカード用の第１受容スロットの奥に、板厚の薄いカードが進行するのを確実に防止することができる。
【００１８】
また、本発明のうち請求項２に係るカード用コネクタは、請求項１記載の発明において、前記カム部材が２個並設されたことを特徴としている。
このカード用コネクタによれば、カム部材が２個並設されているため、２個のカム部材を同時に回動させないと、ストッパ部材を第１位置から第２位置へ回動させることができない。このため、板厚の薄いカードが第１受容スロットに受容される際に、板厚の薄いカードが空間を外れてカム部材と係合する場合であっても、２個のカム部材を同時に回動させる確率は極めて低く、ストッパ部材は第１位置にあるままであり、板厚の薄いカードの進行はストッパ部材により一層確実に阻止される。
【００１９】
【発明の実施の形態】
次に本発明の実施形態を図面を参照して説明する。図１は、本発明に係るカード用コネクタの実施形態を示し、（Ａ）は平面図、（Ｂ）は正面図である。図２は図１のカード用コネクタを示し、（Ａ）は右側面図、（Ｂ）は左側面図である。図３は図１のカード用コネクタの底面図である。
【００２０】
図１乃至図３において、カード用コネクタ１は、ＰＣＭＣＩＡ規格の板厚の厚いＩＣカードＣ１を受容するＩＣカードコネクタ部１０と、ＩＳＯ規格の板厚の薄いスマートカードＣ２を受容するスマートカードコネクタ部２０とを備えている。カード用コネクタ１は、図示しない回路基板上に実装されるようになっている。
【００２１】
ここで、ＩＣカードコネクタ部１０には、受容されたＩＣカードＣ１のコネクタ部（図１０に示すコネクタ部１１１）に接続する複数のピンコンタクト１１がＩＣカードコネクタ部１０の長手方向（図１における左右方向）に沿って上下２列に設けられている。ＩＣカードコネクタ部１０の上面には、金属製の接地用フレーム１２が設けられている。この接地フレーム１２は、ＩＣカードコネクタ部１０の長手方向両端部において後述する下側金属製フレーム２３に取付ねじ１３により接続される。また、ピンコンタクト１１は、中継基板１８に半田接続され、この中継基板１８が回路基板上に設けられた別個（図示せず）のコネクタに嵌合接続されるようになっている。
【００２２】
また、スマートカードコネクタ部２０には、受容されたスマートカードＣ２の表面に形成された端子部（図９に示す端子部１０１）が接触する複数対の板ばねコンタクト２１が設けられている。
そして、ＩＣカードコネクタ部１０の長手方向両端部には、該長手方向両端部から延びる１対のカードガイド用アーム部１４，１５が設けられている。これらカードガイド用アーム部１４，１５のそれぞれは、図１（Ｂ）に最もよく示すように、断面略コ字形に形成され、カードガイド用アーム部１４，１５間でＩＣカードＣ１用の第１受容スロット１６を形成している。カードガイド用アーム部１４，１５の断面コ字形部がＩＣカードＣ１の挿入を案内するカード案内部１６ａを構成する。第１受容スロット１６の上側には、両カードガイド用アーム部１４，１５間を橋渡す上側金属製フレーム１９が設けられている。
また、カードガイド用アーム部１４，１５の下側のカード挿入奥側（図１（Ａ）における上側）に、ＩＣカードコネクタ部１０から延びる前記スマートカードコネクタ部２０が設けられている。一方、カードガイド用アーム部１４，１５の下側には、スマートカードＣ２用の第２受容スロット２２を画定する下側金属製フレーム２３が設けられている。そして、第１受容スロット１６と第２受容スロット２２との間には、両カードガイド用アーム部１４，１５間を橋渡す仕切り用の金属製フレーム１７が設けられている。下側金属製フレーム２３は、図３に示すように、ＩＣカードコネクタ部１０の下側まで延びると共に、複数のコネクタ取付部２４を有している。各コネクタ取付部２４には、カード用コネクタ１を回路基板上に固定するための取付ねじ（図示せず）が挿通する貫通孔２４ａが形成されている。
【００２３】
また、一方のガイド用アーム部１５には、ＩＣカードコネクタ部１０に挿入されたＩＣカードＣ１を排出するためのイジェクト機構３０が設けられている。このイジェクト機構３０は、ガイド用アーム部１５の外壁面に沿ってカード挿入及び排出方向に移動可能なプッシュバー３１と、プッシュバー３１のカード挿入端側に取り付けられた押圧ボタン３２と、プッシュバー３１のカード挿入端と反対側端に設けられ、一端がプッシュバー３１先端に押圧されることにより他端がＩＣカードＣ１を排出するイジェクトバー３３とを具備している。
【００２４】
また、両ガイド用アーム部１４，１５のカード挿入方向略中央部（図３における矢印Ａ，Ｂで示す付近の部分）であって、ＩＣカードＣ１用の第１受容スロット１６のカード案内部１６ａには、それぞれ図４乃至図８に示す板厚薄カード進行阻止装置４０，５０が設けられている。
この板厚薄カード進行阻止装置４０，５０について、図４乃至図８を参照して詳細に説明する。図４は図３の矢印Ａで示す部分の拡大図であり、その主要部において下側金属製フレーム除いた状態を示している。図５は図４における矢印方向から見た矢視図である。図６は図３の矢印Ｂで示す部分の拡大図であり、その主要部において下側金属製フレームを除いた状態を示している。図７は図６における矢印方向から見た矢視図である。図８は図４及び図５で示された板厚薄カード進行阻止装置の作動状態を説明するもので、（Ａ）は板厚の厚いカードＣ１を挿入したときの板厚薄カード進行阻止装置の作動状態を示す概略平面図、（Ｂ）は板厚の厚いカードＣ１を挿入したときの板厚薄カード進行阻止装置の作動状態を示す概略側面図、（Ｃ）は板厚の薄いカードＣ２を挿入したときの板厚薄カード進行阻止装置の作動状態を示す概略平面図、（Ｄ）は板厚の薄いカードＣ２を挿入したときの板厚薄カード進行阻止装置の作動状態を示す概略側面図である。
【００２５】
図４及び図５に示すように、ガイド用アーム部１５側の板厚薄カード進行阻止装置４０、即ちイジェクト機構３０側の板厚薄カード進行阻止装置４０は、第１受容スロット１６のカード案内部１６ａに回動可能に軸支されたストッパ部材４１と、ストッパ部材４１の軸支と直交してカード案内部１６ａに回動可能に軸支されたカム部材４４とを具備している。
【００２６】
ストッパ部材４１は、カード案内部１６ａの下壁から下方へ隆起する隆起部１６ｂと、カード案内部１６ａの下壁であって隆起部１６ｂよりも外側（図４における左側）から下方に突出する突出部１６ｃとの双方に軸支された支軸４２を中心に図５における矢印Ｘ２，Ｙ２方向に回動するようになっている。ストッパ部材４１は、矢印Ｘ２方向に回動した場合、板厚の厚いＩＣカードＣ１及び板厚の薄いスマートカードＣ２の進行方向を遮断する第１位置まで回動し、矢印Ｙ２方向に回動した場合、前記進行方向の遮断を解除する第２位置まで回動するようになっている。そして、ストッパ部材４１は、支軸４２の周囲を回動する回動部４１ａと、回動部４１ａから延びるストッパ部４１ｂとからなり、絶縁性の樹脂を成形することによって形成される。支軸４２の周囲には、トーションばね４３が巻回されており、このトーションばね４３は、一端がストッパ部４１ｂに形成された凹部４１ｃに係止され、ストッパ部材４１を矢印Ｘ２方向に常時付勢する。
【００２７】
また、カム部材４４は、上下対称構造の２個のカム部材４４ａ，４４ｂで構成され、カム部材４４ａを下側に、カム部材４４ｂを上側に配置している。カム部材４４ａ，４４ｂは、ストッパ部材４１の軸支と直交してカード案内部１６ａの上壁及び下壁の双方に軸支された支軸４５を中心に図４における矢印Ｘ１，Ｙ１方向に回動するようになっている。カム部材４４ａ，４４ｂは、それぞれ、第１受容スロット１６側に板厚の厚いＩＣカードＣ１の側面とカム係合するカム面４４ｃを有している。カム面４４ｃは、図４に示すように、Ｘ１方向に回動した状態では、カード案内部１６ａにおけるカード案内線Ｌよりも第１受容スロット１６側に突出する。また、カム部材４４ａ，４４ｂは、互いに上下対称に支軸４５に取り付けられた状態でカム面４４ｃに隣接する上下方向中央部に板厚の薄いスマートカードＣ２の進行を許容する空間４４ｄを画定している。また、カム部材４４ａ，４４ｂのそれぞれの先端には、Ｘ１方向に回動したときに第１位置にあるストッパ部材４１の回動を阻止する爪４４ｅが形成されている。支軸４５の周囲には、２本のトーションばね４６が巻回されており、これらトーションばね４６は、一端がカム部材４４ａ，４４ｂに形成された係止部４４ｆ、４４ｆに係合され、カム部材４４ａ，４４ｂを矢印Ｘ１方向に常時付勢する。
【００２８】
一方、ガイド用アーム部１４側の板厚薄カード進阻止装置５０、即ちイジェクト機構３０と反対側の板厚薄カード進行阻止装置５０は、図６及び図７に示すように、第１受容スロット１６のカード案内部１６ａに回動可能に軸支されたストッパ部材５１と、ストッパ部材５１の軸支と直交してカード案内部１６ａに回動可能に軸支されたカム部材５４とを具備している。
【００２９】
ストッパ部材５１は、ストッパ部材４１と同様に、カード案内部１６ａの下壁から下方に隆起する隆起部１６ｂと、カード案内部１６ａの下壁であって隆起部１６ｂよりも外側（図６における右側）から下方に突出する突出部１６ｃとの双方に軸支された支軸５２を中心に図７における矢印Ｘ４，Ｙ４方向に回動するようになっている。また、ストッパ部材５１は、矢印Ｘ４方向に回動した場合、板厚の厚いＩＣカードＣ１及び板厚の薄いスマートカードＣ２の進行方向を遮断する第１位置まで回動し、矢印Ｙ４方向に回動した場合、前記進行方向の遮断を解除する第２位置まで回動する。そして、ストッパ部材５１は、支軸５２の周囲を回動する回動部５１ａと、回動部５１ａから延びるストッパ部５１ｂとからなり、絶縁性の樹脂を成形することによって形成される。支軸５２の周囲には、トーションばね５３が巻回されており、このトーションばね５３は、一端がストッパ部５１ｂに形成された凹部５１ｃに係止され、ストッパ部材５１を矢印Ｘ４方向に常時付勢する。
【００３０】
また、カム部材５４は、カム部材４４と異なり、単体で構成され、カム部材４４と左右対称構造をしているい。カム部材５４は、ストッパ部材５１の軸支と直交してカード案内部１６ａの上壁及び下壁の双方に軸支された支軸５５を中心に図６における矢印Ｘ３，Ｙ３方向に回動するようになっている。カム部材５４は、第１受容スロット１６側に板厚の厚いＩＣカードＣ１の側面とカム係合するカム面５４ｃを有している。カム面５４ｃは、図６に示すように、Ｘ３方向に回動した状態では、カード案内部１６ａにおけるカード案内線Ｌよりも第１受容スロット１６側に突出する。また、カム部材５４は、カム面５４ｃに隣接する上下方向中央部に板厚の薄いスマートカードＣ２の進行を許容する空間５４ｄを有している。また、カム部材５４の先端には、Ｘ３方向に回動したときに第１位置にあるストッパ部材５１の回動を阻止する爪５４ｅが形成されている。支軸５５の周囲には、１本のトーションばね５６が巻回されており、このトーションばね５６は、一端がカム部材５４に形成された係止部５４ｆに係合され、カム部材５４を矢印Ｘ３方向に常時付勢する。
【００３１】
次に、イジェクト機構３０側の板厚薄カード進行阻止装置４０の作用について図８を参照して説明する。イジェクト機構３０と反対側の板厚薄カード進行阻止装置５０の作用は、基本的に板厚薄カード進行阻止装置５０の作用と同一なので、その説明は省略する。
先ず、カード用コネクタ１が回路基板上に実装され、いかなるカードも受容されていないときには、図５の実線に示すようにストッパ部材４１のストッパ部４１ｂがＸ２方向に回動してストッパ部材４１が第１位置にある。一方、カム部材４４は、２個のカム部材４４ａ，４４ｂとも図４の破線に示すようにＸ１方向に回動し、その爪４４ｅにより第１位置にあるストッパ部材４１の回動を阻止している。このとき、カム面４４ｃはカード案内部１６ａにおけるカード案内線Ｌよりも第１受容スロット１６側に突出している。この状態は、図８（Ｃ）及び図８（Ｄ）に示す状態と同一である。
【００３２】
この状態で、第１受容スロット１６に板厚の厚いＩＣカードＣ１を挿入すると、ＩＣカードＣ１の側面がカード案内線Ｌに沿って案内されるとともに、ＩＣカードＣ１の先端がカム部材４４ａ，４４ｂのカム面４４ｃに当接し、挿入が進行するにつれて図８（Ａ）に示すようにカム部材４４ａ，４４ｂは第１受容スロット１６と反対側、即ちＹ１方向に回動する。このとき、トーションばね４６のばね力によりＩＣカードＣ１の側面とカム面５３との当接状態は維持される。
【００３３】
カム部材４４ａ，４４ｂが矢印Ｙ１方向に回動すると、爪４４ｅによる第１位置にあるストッパ部材４１のストッパ部４１ｂの回動阻止が解除される。そして、板厚の厚いＩＣカードＣ１の下面により図８（Ｂ）に示すようにストッパ部材４１のストッパ部４１ｂがＹ２方向に回動して第２位置に位置し、板厚の厚いＩＣカードＣ１の進行が許容される。
【００３４】
そして、さらにＩＣカードＣ１を挿入すると、ＩＣカードＣ１がＩＣカードコネクタ部１０に嵌合し、ＩＣカードＣ１のコネクタ部とＩＣカードコネクタ部１０のピンコンタクト１１とが電気的に接続される。
一方、カード用コネクタ１を回路基板上に実装した状態で、第１受容スロット１６に、板厚の薄いスマートカードＣ２を挿入すると、図８（Ｃ）及び図８（Ｂ）に示すように、カム部材４４ａ，４４ｂのカム面４４ｃがカード案内線Ｌよりも第１受容スロット１６側に突出していても、スマートカードＣ２はカム部材４４ａ，４４ｂの空間４４ｄを通過する。そして、スマートカードＣ２の先端は第１位置にあるストッパ部材４１のストッパ部４１ｂに当接し、その進行が阻止される。ストッパ部材４１は、カム部材４４ａ，４４ｂの爪４４ｅにより第１位置において回動が阻止されているので、板厚の厚いＩＣカードＣ１用の第１受容スロット１６の奥に、板厚の薄いスマートカードＣ２が進行するのを確実に防止することができる。ここで、板厚の厚いＩＣカードＣ１の進行を許容するとともに板厚の薄いスマートカードＣ２の進行を阻止する板厚薄カード進行阻止装置４０，５０を、それぞれ、第１受容スロット１６のカード案内部１６ａに回動可能に軸支されたストッパ部材４１，５１と、ストッパ部材４１，５１の軸支と直交してカード案内部１６ａに回動可能に軸支されたカム部材４４，５４とで構成した。このため、厚みの薄いカードの進行を阻止する機構を低背の簡単な構成とすることができ、カード用コネクタ１を安価に製造することができる。
【００３５】
ここで、イジェクト機構３０側の板厚薄カード進行阻止装置４０にあっては、カム部材４４ａ，４４ｂが２個並設されているため、２個のカム部材４４ａ，４４ｂを同時に回動させないと、ストッパ部材４１を第１位置から第２位置へ回動させることができない。このため、板厚の薄いスマートカードＣ２が第１受容スロット１６に受容される際に、スマートカードＣ２が空間４４ｄを外れてカム部材４４ａ，４４ｂと係合する場合であっても、２個のカム部材４４ａ，４４ｂを同時に回動させる確率は極めて低く、ストッパ部材４１は第１位置にあるままであり、板厚の薄いスマートカードＣ２の進行はストッパ部材４１により一層確実に阻止される。
【００３６】
また、ＩＣカードＣ１やスマートカードＣ２に切欠等を形成する必要はなく、汎用カードに適用することができるのは勿論である。
なお、カード用コネクタ１を回路基板上に実装した状態で、第２受容スロット２２に、板厚の薄いスマートカードＣ２を挿入すると、スマートカードＣ２はスマートカードコネクタ部２０に受容され、スートカードＣ２の端子部が複数対の板ばねコンタクト２１に接触し、電気的に接続される。
【００３７】
また、カム部材４４ａ，４４ｂ，５４のカム面４４ｃ、５４ｃは板厚の厚いＩＣカードＣ１の先端両隅のキー部に対応して設けられている。このため、板厚の厚いＩＣカードＣ１が正規の向きに挿入された場合には、キー部が全てのカム面４４ｃ、５４と当接して確実にカム部材４４ａ，４４ｂ，５４を回転させることができる。これに対して、板厚の厚いＩＣカードＣ１が上下逆向きに挿入された場合は、キー部材が全てのカム面に当接せず、少なくとも１個のカム部材が回転しないので、ＩＣカードＣ１の挿入を阻止することができる。
【００３８】
以上、本発明の実施形態について説明してきたが、本発明はこれに限定されず、種々の変更を行うことができる。
例えば、イジェクト機構３０側の板厚薄カード進行阻止装置４０についてのみカム部材を２個設けたが、反対側の板厚薄カード進行阻止装置５０についてもカム部材を２個で構成したり、板厚薄カード進行阻止装置５０のみについてカム部材を２個で構成したり、あるいは双方の板厚薄カード進行阻止装置についてカム部材を単体で構成してもよい。
【００３９】
また、板厚薄カード進行阻止装置は、双方のガイド用アーム部１４，１５に設けられているが、片側のガイド用アーム部１４あるいは１５のみに設けてもよい。
また、カム部材及びストッパ部材を付勢するばねは、トーションばねの代わりに、板ばね、コイルばね等であってもよい。
【００４０】
また、適用されるカードは、ＰＣＭＣＩＡ規格のＩＣカードＣ１やＩＳＯ規格のスマートカードＣ２以外であってもよい。
さらに、板厚の厚いＩＣカードＣ１を受容するカード受容スロット１６を下側にし、板厚の薄いスマートカードＣ２を受容するカード受容スロット２２を上側にしてもよい。また、カードを受容する受容スロットは２個に限らず、３個以上であってもよい。
【００４１】
【発明の効果】
以上説明したように、本発明のうち請求項１に係るカード用コネクタによれば、第１受容スロットのカード案内部に軸支され、板厚の厚いカード及び板厚の薄いカードの進行方向を遮断する第１位置と前記進行方向の遮断を解除する第２位置との間を回動するストッパ部材と、該ストッパ部材の軸支と直交して前記カード案内部に回動可能に軸支され、前記板厚の厚いカードとカム係合するカム面、該カム面に隣接して前記板厚の薄いカードの進行を許容する空間、及び前記第１位置にある前記ストッパ部材の回動を阻止する爪を有するカム部材とを具備したので、低背かつ簡単な構成で、板厚の厚いカード用の第１受容スロットの奥に、板厚の薄いカードが進行するのを確実に防止することができる。一方、板厚の厚いカードが第１受容スロットに受容される際には、板厚の厚いカードがカム面にカム係合してカム部材が回動し、これにより爪による第１位置にあるストッパ部材の回動阻止が解除される。そして、板厚の厚いカードによりストッパ部材が第２位置に回動して板厚の厚いカードの進行を許容することができる。
また、本発明のうち請求項２に係るカード用コネクタによれば、請求項１記載の発明において、前記カム部材が２個並設されたので、板厚の薄いカードの進行をストッパ部材により一層確実に阻止することができる。
【図面の簡単な説明】
【図１】本発明に係るカード用コネクタの実施形態を示し、（Ａ）は平面図、（Ｂ）は正面図である。
【図２】図１のカード用コネクタを示し、（Ａ）は右側面図、（Ｂ）は左側面図である。
【図３】図１のカード用コネクタの底面図である。
【図４】図３の矢印Ａで示す部分の拡大図であり、その主要部において下側金属製フレーム除いた状態を示している。
【図５】図４における矢印方向から見た矢視図である。
【図６】図３の矢印Ｂで示す部分の拡大図であり、その主要部において下側金属製フレームを除いた状態を示している。
【図７】図６における矢印方向から見た矢視図である。
【図８】図４及び図５で示された板厚薄カード進行阻止装置の作動状態を説明するもので、（Ａ）は板厚の厚いカードＣ１を挿入したときの板厚薄カード進行阻止装置の作動状態を示す概略平面図、（Ｂ）は板厚の厚いカードＣ１を挿入したときの板厚薄カード進行阻止装置の作動状態を示す概略側面図、（Ｃ）は板厚の薄いカードＣ２を挿入したときの板厚薄カード進行阻止装置の作動状態を示す概略平面図、（Ｄ）は板厚の薄いカードＣ２を挿入したときの板厚薄カード進行阻止装置の作動状態を示す概略側面図である。
【図９】ＩＳＯ規格のスマートカードを示し、（Ａ）は平面図、（Ｂ）は側面図である。
【図１０】ＰＣＭＣＩＡ規格のＩＣカードのタイプＩを示す斜視図である。
【図１１】従来のＩＣカードソケットを示し、（Ａ）は厚みの厚いＩＣカードを挿入した場合の動作を説明するための断面図、（Ｂ）は厚みの薄いスマートカードを挿入した場合の動作を説明するための断面図である。
【図１２】従来のＩＣカートリッジリーダーを示し、（Ａ）は適正ＩＣカートリッジを挿入した場合の動作を説明するための断面図、（Ｂ）は不適正なＩＣカートリッジを挿入した場合の動作を説明するための断面図である。
【符号の説明】
１　カード用コネクタ
１６　第１受容スロット
１６ａ　カード案内部
２２　第２受容スロット
４１　ストッパ部材
４４、５４　カム部材
４４ｃ、５４ｃ　カム面
４４ｄ、５４ｄ　空間
４４ｅ、５４ｅ　爪
Ｃ１　ＩＣカード（板厚の厚いカード）
Ｃ２　スマートカード（板厚の薄いカード）
【図１】
2004103378.tif 000003
【図２】
2004103378.tif 000004
【図３】
2004103378.tif 000005
【図４】
2004103378.tif 000006
【図５】
2004103378.tif 000007
【図６】
2004103378.tif 000008
【図７】
2004103378.tif 000009
【図８】
2004103378.tif 000010
【図９】
2004103378.tif 000011
【図１０】
2004103378.tif 000012
【図１１】
2004103378.tif 000013
【図１２】
2004103378.tif 000014